(57)【要約】【課題】  建築物のコーナー部における躯体の変形や化粧材の取付誤差が多少存在しても当該コーナー部を前記化粧材によって良好な状態で覆うことを可能にする。【解決手段】    建築物の躯体１においてそのコーナー部１ａを挟む面をそれぞれ覆うように取り付けられる第一化粧材３０Ａ及び第二化粧材３０Ｂと、コーナー部１ａを挟む二側面１ｂ、１ｃ上に固定され、第一化粧材３０Ａ及び第二化粧材３０Ｂの端部のうち、前記コーナー部１ａ側に配置される端部と反対側の端部またはその近傍部分を係止する係止部２１４、２１５を有する係止部材２０と、弾性変形可能な部材であって、第一化粧材３０Ａ及び第二化粧材３０Ｂの端部のうち、コーナー部１ａ側に位置する端部同士の相対変位を可能とする状態で、第一化粧材３０Ａと第二化粧材３０Ｂとを接続する接続部材５０とを備える。【選択図】      図１
2005256311.tif 000002
【特許請求の範囲】
【請求項１】
建築物の躯体においてそのコーナー部を挟む面をそれぞれ覆うように取付けられる第 一の化粧材及び第二の化粧材と、
前記躯体における前記コーナー部を挟む面上に固定され、前記第一の化粧材及び第二の化粧材の端部のうち前記コーナー部側に配置される端部であるコーナー部側端部と反対側の端部またはその近傍部分を係止する係止部を有する係止部材とを有し、
前記第二の化粧材は、そのコーナー部側端部に前記第一の化粧材のコーナー部側端部にを接続する接続部を有する
ことを特徴とするコーナー部の化粧部材。
【請求項２】
請求項１記載のコーナー部の化粧部材において、
前記接続部は、前記第一の化粧材のコーナー部側端部と着脱可能に係合する係合部を有する
ことを特徴とするコーナー部の化粧部材。
【請求項３】
請求項２記載のコーナー部の化粧部材において、
前記係止部材は、この係止部材に前記第二の化粧材が係止された状態でこの第二の化粧材の前記係合部と接触して当該係合部と前記第一の化粧材のコーナー部側端部との係合を補強する補強部を有する
ことを特徴とするコーナー部の化粧部材。
【請求項４】
請求項１〜３のいずれか１項に記載のコーナー部の化粧部材において、
前記接続部は、弾性変形可能であり、前記両化粧材のコーナー部側端部同士の相対変位を許容する状態で前記第一の化粧材のコーナー部側端部を接続する
ことを特徴とするコーナー部の化粧部材。
【請求項５】
請求項４に記載のコーナー部の化粧部材において、
前記接続部は、この接続部により前記両化粧材同士が接続されたままの状態で少なくとも一方の化粧材が前記係止部材の係止部から離脱する離脱動作が可能な程度まで両化粧材のコーナー部側端部同士の相対変位を許容するものである
ことを特徴とするコーナー部の化粧部材。
【請求項６】
請求項４又は５項に記載のコーナー部の化粧部材において、
前記第二の化粧材に弾性変形可能な接続部材が固定され、この接続部材に前記接続部が形成されていること
を特徴とするコーナー部の化粧部材。
【請求項７】
請求項１〜６のいずれか１項に記載のコーナー部の化粧部材を用いた化粧材の取付構造において、
前記係止部材が前記躯体におけるコーナー部分を挟む二面上に固定され、
前記係止部材の係止部に、前記第一の化粧材及び前記第二の化粧材の前記コーナー部側端部と反対側の端部またはその近傍部分が係止され、
前記接続部によって前記コーナー部側端部同士が前記コーナ部又はその近傍で接続された
ことを特徴とする化粧材の取付構造。
【発明の詳細な説明】
【技術分野】
【０００１】
本発明は、建築用の躯体のコーナー部分に取り付けられるコーナー部の化粧部材、及び、この化粧部材を用いた化粧材の取付構造に関するものである。
【背景技術】
【０００２】
建築物の躯体のコーナー部分を覆うように化粧材を配置する構造としては、例えば特許文献１に記載されているものが広く知られている。
【０００３】
この構造に使用する化粧材は、Ｌ字型の断面を有して一方向に伸びた長尺状のものである。
【０００４】
そして、前記躯体に前記化粧材を取り付けるための取付部材が前記躯体のコーナー部分を挟む二面上に固定され、この取付部材に前記化粧材が取り付けられることにより、前記化粧材が前記コーナー部分を挟む二面上に固定されている。すなわち、前記コーナー部分を跨ぐ状態で前記化粧材が前記躯体及び前記取付部材に取り付けられ、この化粧材によって前記コーナー部分が覆われている。
【特許文献１】特開平６−２５７２７６号公報
【発明の開示】
【発明が解決しようとする課題】
【０００５】
前記化粧材は、前記のとおりコーナー部分を跨ぐＬ字状に全体が一体成形されたものであり、当該コーナー部分以外の部分を覆う他のものとは形状を著しく異にするものであるため、運搬のときの収納効率が低下し、運搬する際の効率を低下させることが不都合がある。
【０００６】
そこで、かかる課題を解決する構造としては、例えば特開２００１−２０７６２０号公報に示されるような構造、すなわち、四角形の断面を有する化粧材を複数用い、建築物の柱材の各側面個別にこれらの化粧材が固定される構造を前記コーナー部の化粧構造としてそのまま適用することが考えられる。しかし、このように各面ごとに相互独立して化粧材の取付けが行われる構造では、各化粧材のコーナー部側の端部同士の相対位置について何ら手当てがされていないうえ、コーナー部を挟む躯体面の変形や各面における化粧材の取付誤差が相互累積されることにより、当該化粧材のコーナー部側端部同士の間に著しいずれ（例えば大きな隙間）が生じるおそれがある。このようなずれは修復が困難であり、建築物の外観に著しい悪影響を及ぼすおそれがある。
【０００７】
本発明は、このような事情に鑑み、前記化粧材を運搬する際の運搬効率が低下することを阻止しつつも、前記建築物の美観を保つことを可能にする技術の提供を目的とする。
【課題を解決するための手段】
【０００８】
請求項１記載の発明は、建築物の躯体においてそのコーナー部を挟む面をそれぞれ覆うように取付けられる第 一の化粧材及び第二の化粧材と、前記躯体における前記コーナー部を挟む面上に固定され、前記第一の化粧材及び第二の化粧材の端部のうち前記コーナー部側に配置される端部であるコーナー部側端部と反対側の端部またはその近傍部分を係止する係止部を有する係止部材とを有し、前記第二の化粧材は、そのコーナー部側端部に前記第一の化粧材のコーナー部側端部を接続する接続部を有することを特徴とするコーナー部の化粧部材である。
【０００９】
請求項２記載の発明は、請求項１記載のコーナー部の化粧部材において、前記接続部は、前記第一の化粧材のコーナー部側端部と着脱可能に係合する係合部を有することを特徴とする。
【００１０】
請求項３記載の発明は、請求項２記載のコーナー部の化粧部材において、前記係止部材は、この係止部材に前記第二の化粧材が係止された状態でこの第二の化粧材の前記係合部と接触して当該係合部と前記第一の化粧材のコーナー部側端部との係合を補強する補強部を有することを特徴とする。
【００１１】
請求項４記載の発明は、請求項１〜３のいずれか１項に記載のコーナー部の化粧部材において、前記接続部は、弾性変形可能であり、前記両化粧材のコーナー部側端部同士の相対変位を許容する状態で前記第一の化粧材のコーナー部側端部を接続することを特徴とする。
【００１２】
請求項５記載の発明は、請求項４に記載のコーナー部の化粧部材において、前記接続部は、この接続部により前記両化粧材同士が接続されたままの状態で少なくとも一方の化粧材が前記係止部材の係止部から離脱する離脱動作が可能な程度まで両化粧材のコーナー部側端部同士の相対変位を許容するものであることを特徴とする。
【００１３】
請求項６記載の発明は、請求項４又は５項に記載のコーナー部の化粧部材において、前記第二の化粧材に弾性変形可能な接続部材が固定され、この接続部材に前記接続部が形成されていることを特徴とする。
【００１４】
請求項７記載の発明は、請求項１〜６のいずれか１項に記載のコーナー部の化粧部材を用いた化粧材の取付構造において、前記係止部材が前記躯体におけるコーナー部分を挟む二面上に固定され、前記係止部材の係止部に、前記第一の化粧材及び前記第二の化粧材の前記コーナー部側端部と反対側の端部またはその近傍部分が係止され、前記接続部によって前記コーナー部側端部同士が前記コーナ部又はその近傍で接続されたことを特徴とする。
【発明の効果】
【００１５】
請求項１、７にかかる発明によれば、前記コーナー部を覆うための化粧材は、そのコーナー部を挟む面にそれぞれ配置される第一の化粧材と第二の化粧材とに分割されているため、前記コーナー部以外の面を覆うためのその他の化粧材と形状を著しく異ならせる必要がない。したがって、従来のように前記コーナー部を覆うＬ字状に全体が一体に成形されたコーナー部用の化粧材と比較して収納効率を向上させることができる。
【００１６】
さらに、前記第一の化粧材及び前記第二の化粧材を前記躯体に配置した場合において、前記接続部によってこれらの化粧材のコーナー部側端部同士を前記コーナー部又はその近傍で直接的に接続された構成にすることができるため、前記コーナー部側端部同士の相対位置がずれるのを抑制することができ、より確実に前記躯体のコーナー部を前記第一の化粧材及び前記第二の化粧材で覆うことが出来る。したがって、前記建築物の美観を保つことが可能となる。
【００１７】
請求項２にかかる発明によれば、前記接続部の係合部は前記第一の化粧材のコーナー部側端部を着脱可能に係止するため、前記化粧材を前記躯体に取り付ける前だけでなく、前記化粧材を前記躯体から取り外したときにも、前記第一の化粧材と前記第二の化粧材とを分離することが出来、収納効率を向上させた状態で保管又は運搬することが可能となる。
【００１８】
請求項３にかかる発明によれば、請求項２の発明の効果に加え、前記係止部材に前記第二の化粧材が係止された状態においては、前記接続部の係合部が前記係止部材の補強部に接触し、この接触により前記係合部と前記第一の化粧材のコーナー部側端部との係合力を補強することが可能となる。その一方、前記第二の化粧材が前記係止部材から離脱したときは、前記係合部は前記補強部に接触しない状態となるため、前記補強部は前記係合部と前記第一の化粧材のコーナー部側端部との係合を補強しなくなり、この係合状態を解除しやすくなる。
【００１９】
したがって、前記第二の化粧材を前記係止部材に係止させた状態においては、前記第一の化粧材と前記第二の化粧材との接続状態を強化するとともに、前記第二の化粧材を前記係止部材から離脱させた状態においては、前記第一の化粧材と前記第二の化粧材との接続状態を解除しやすくすることが可能となる。
【００２０】
請求項４にかかる発明によれば、前記接続部は前記両化粧材のコーナー部側端部同士の相対変位を許容する状態で前記第一の化粧材のコーナー部側端部を接続するため、前記躯体のコーナー部分の形状が反り等によって変形したときにおいても、かかる変形に対応した状態で前記躯体のコーナー部を前記第一及び第二の化粧材で覆うことが可能となる。したがって、より確実に前記コーナー部を前記第一及び第二の化粧材で覆うことが出来る。
【００２１】
請求項５にかかる発明によれば、一方の化粧材を前記係止部材の係止部から離脱させるとき、前記両化粧材のコーナー部側端部同士を接続した状態で行うことが出来るため、前記化粧材を前記係止部材から取り外すとき、個々の化粧材を別々に取り外す必要がなく一度に取り外すことができ、取り外し作業にかかる負担を軽減することができる。
【００２２】
請求項６にかかる発明によれば、前記化粧材と前記係止部とは別部材で構成されているため、前記化粧材に選定する素材としては、必ずしも前記係止部の機能を有するものでなくてもよい。したがって、前記化粧材により多様な素材を用いることが可能となる。
【発明を実施するための最良の形態】
【００２３】
本発明の実施の形態につき、図１〜図９を用いて説明する。
【００２４】
まず、図１を用いて、本実施形態にかかる化粧材の取付構造について説明する。
【００２５】
建築物の躯体１（例えば、柱等）のコーナー部１ａを挟む二側面１ｂ、１ｃには、ビス１０によって係止部材２０が固定され、この係止部材２０には、化粧材３０が係止されている。化粧材３０は、第一化粧材３０Ａと第二化粧材３０Ｂとを備えており、第一側面１ｂに配置される側には第一化粧材３０Ａ、第二側面１ｃに配置される側には第二化粧材３０Ｂが係止されている。第一化粧材３０Ａは、被係止部材４０によって係止部材２０に対し係脱可能に係止され、第二化粧材３０Ｂは、係止部材２０に対し直接的に係止され、第一化粧材３０Ａと第二化粧材３０Ｂとは、接続部材５０によって接続させている。さらに、躯体１と化粧材３０との間に存在する間隙、及び、第一化粧材３０Ａと第二化粧材３０Ｂとの間に存在する間隙を埋めるようにシール材６０が配置されている。
【００２６】
係止部材２０は、ステンレス鋼等の金属材料で全体が板状に形成され、図２に示すように、躯体１に固定される本体部２１と、化粧材３０が嵌合される固定補助部２２と、被係止部材４０との係止を補助する係止補助部２３と、補強部２４とを備えている。
【００２７】
本体部２１は、図２において前後方向に延びる略一様の断面を有する形状に形成されている。この断面は略Ｌ字の形状に形成されており、躯体１に対してビス止めされる固定部２１１と、この固定部２１１の両端部に当該固定部２１１と略垂直をなす角度に延設された端部２１２、２１３とで構成されている。
【００２８】
固定部２１１は、前記第一側面１ｂ上に配置される第一固定部２１１ａと、前記第二側面１ｃ上に配置される第二固定部２１１ｂとを備え、第一固定部２１１ａと第二固定部２１１ｂとが略直角をなす状態で形成されている。すなわち、固定部２１１は略Ｌ字断面を有する形状に形成されている。さらに、固定部２１１には、前記ビス１０を挿入するためのビス孔２１１ｃが複数箇所（図２においては二箇所）に形成されている。
【００２９】
端部２１２、２１３のうち、第一固定部２１１ａ側の端部２１２は、第一固定部２１１ａから略垂直をなす状態で折り起こされており、そこからさらに内向き（図２では上向き）に、前記被係止部材４０を係止する係止部２１４が突出している。
【００３０】
また、第二固定部２１１ｂ側の端部２１３も、第二固定部２１１ｂから略垂直をなす状態で折り起こされており、そこからさらに外向き（図２では右向き）に第二化粧材３０Ｂを係止する支点部２１５（係止部）が突出している。
【００３１】
固定補助部２２は、図２において前後方向に延びる略一様の断面を有した状態で、第二固定部２１１ｂに形成されている。この断面は略コの字形状に形成されており、固定部２１１に固定される固定部２２１と、固定部２２１のうち、図において左右方向の両端部分から、図において略上方に突出し、第二化粧材３０Ｂの突起部３５（後述）を挟持する挟持部２２２、２２２とで構成されている。
【００３２】
係止補助部２３は、第一固定部２１１ａと略垂直をなす状態で突出するように形成され、図１に示すとおり、被係止部材４０が係止部２１４に係止されたとき、被係止部材４０の図において上方向の移動を端部２１２とともに阻止することにより係止部２１４と被係止部材４０との係止状態を維持する。
【００３３】
補強部２４は、第一固定部２１１ａのうち第二固定部２１１ｂとの境界部分の近傍に該当する箇所に、固定部２１１と略垂直をなす状態で突設されている。そして、この補強部２４に接続部材５０の当接部５２１（図５参照。詳細は後述）が圧接、すなわち接触することにより、接続部材５０と第一化粧材３０Ａとの接続が補強される。
【００３４】
化粧材３０は、主にセメント等の素材によって扁平な略四角柱状に形成されている。まず、第一化粧材３０Ａにおいて図３を用いて説明すると、第一化粧材３０Ａの表面３１は、略平面状に形成されており、化粧材３０の裏面３２には係止部材２０を収納すべく凹む形状に収納部３３が形成されている。収納部３３は、両側に側壁３９ａ、３９ｂを有するとともに、この収納部３３内には、前記被係止部材４０に嵌合されるように突出した取付部３４と、前記固定補助部２２に嵌合されるように突出した突起部３５とが、一定間間隔を隔てて形成されている。すなわち、側壁３９ａと取付部３４との間には第一収納部３３１が形成され、取付部３４と突起部３５との間には第二収納部３３２が形成され、突起部３５と側壁３９ｂとの間には第三収納部３３３が形成されている。
【００３５】
一方の側壁３９ａには、貫通孔３６（挿通部）が形成され、この貫通孔３６が第一収納部３３１の内部と化粧材３０の外部空間とを連通している。さらに、側壁３９ａの先端部分にはシール材６０が接着剤等で仮止めされている。
【００３６】
他方の側壁３９ｂには、接続部材５０に係止される回転中心部３７が突設されている。
【００３７】
第二化粧材３０Ｂについて、第一化粧材３０Ａと異なる箇所のみ図１を用いて説明すると、第一化粧材３０Ａは側壁３９ａに貫通孔３６が形成されているのに対し、化粧材３０Ｂは側壁３９ａが形成されていない。すなわち、第一収納部３３１の一端は開口されている。
【００３８】
そして、この第一収納部３３１の壁面には、第一化粧材３０Ａの側壁３９ｂが第一収納部３３１に入り込んだときにこの第一化粧材３０Ａの側壁３９ｂと接触するシール材６０が仮止めされている。また、第二化粧材３０Ｂの側壁３９ｂの先端にもシール材６０が仮止めされている。
【００３９】
さらに、第二化粧材３０Ｂの取付部３４は、前記第一化粧材３０Ａのように被係止部材４０が嵌合される代わりに接続部材５０の固定部５１（後述）が嵌合される。
【００４０】
被係止部材４０は、撓み変形（弾性変形）可能な薄肉の金属板により形成され、図４（ａ）、（ｂ）に示すように、一様断面を有して一方向（図４（ｂ）において左右方向）に延びる形状を有する本体部４１と、この本体部４１の図における下端から下方に向けて延設されたアーム４２とを備えている。
【００４１】
本体部４１は、略コノ字の断面形状を有し、前記化粧材３０の取付部３４の先端が当接する当接部４１１と、当接部４１１の図における両端部分から、この当接部４１１と略垂直をなす角度に延設され、取付部３４を挟持して被係止部材４０を化粧材３０に対し固定する挟持部４１２、４１２とを備えている。
【００４２】
アーム４２は、本体部４１の当接部４１１の長さ方向における略中央部の下端部から延設されており、外力が加えられることによって上下方向に撓み変形する弾性変形部４２１と、前記係止部材２０の係止部２１４に対し係止される当接部４２２と、この係止部２１４の先端に圧接する圧接部４２３とを備えている。
【００４３】
弾性変形部４２１は、挟持部４１２が延びる方向（図４（ａ）においては左側）に先端側が向く状態で略１／４の円弧の形状に形成され、外力が加えられることにより、この円弧の部分が弾性的に撓み変形するものになっている。また、当接部４２２は、弾性変形部４２１の先端から前記円弧の中心部分に向けて突出するように形成されており、圧接部４２３は、当接部４２２の先端から、挟持部４１２が伸びる方向と略同じ方向（図４（ａ）においては左側）に向けて延びるように形成されている。
【００４４】
接続部材５０は、図１、図５に示すとおり、撓み変形（弾性変形）可能な薄肉の金属板により、略一様の断面を有して一方向（図１、図５においては前後方向）に伸びる形状に形成され、第二化粧材３０Ｂの突起部３５に固定される固定部５１と、第一化粧材３０Ａの回転中心部３７を係合するための係合部５２（接続部）と、この固定部５１と係合部５２とを接続する接続用アーム５３とを備えている。
【００４５】
固定部５１は、略コの字型の断面を有するものであり、図において左右方向に伸び、突起部３５の先端に当接する当接部５１１と、この当接部５１１の両端から略垂直をなす状態（図において上方）で伸び、突起部３５を挟持する挟持部５１２、５１２とを有している。
【００４６】
そして、この挟持部５１２のうち、一方の挟持部５１２の端部から、接続用アーム５３が延設されている。この接続用アーム５３は、固定部５１と略平行をなす状態で伸びる第一アーム部５３１と、この第一アーム部５３１の先端から図において略下側に向けて伸びる第二アーム部５３２とが形成されており、第一アーム部５３１と第二アーム部５３２との境界部分にはコーナー部５３３が形成されている。
【００４７】
係合部５２は、係止部材２０の補強部２４及び第一化粧材３０Ａの側壁３９ｂと圧接する当接部５２１と、第一化粧材３０Ａの回転中心部３７を係合する係合片部５２２とを備えている。
【００４８】
当接部５２１は、第二アーム部５３２の先端から図において左右方向に伸びるように形成されている。さらに、この当接部５２１の先端から、図において右斜め上方に伸びるように係合片部５２２が形成されており、回転中心部３７を係脱可能に係合する。また、第二アーム部５３２と当接部５２１との境界部分にもコーナー部５３３が形成されている。
【００４９】
コーナー部５３３は、接続部材５０自体が弾性変形可能な素材で形成されているため、コーナー部５３３自体の角度も弾性的に可変となっている。そして、このコーナー部５３３の角度が変化することにより、係合部５２は、固定部５１に対し、その相対位置の変位が可能となっている。
【００５０】
以下、図１に戻って、化粧材３０の取付構造の続きを説明する。
【００５１】
図１は、化粧材３０が係止部材２０に既に取り付けられた状態を示している。
【００５２】
この状況において、第二化粧材３０Ｂの回転中心部３７は、第二固定部２１１ｂに形成された支点部２１５よりも内側（図１において下側）に回り込み、この回転中心部３７が端部２１３の支点部２１５に対し当接することにより、回転中心部３７が端部２１３の支点部２１５に対し係止されている。この係止により、第二化粧材３０Ｂの一端側が係止部材２０から外れることが阻止されている。
【００５３】
すなわち、第二化粧材３０Ｂのうち、コーナー部１ａ側から配置される端部と反対側の端部が支点部２１５によって係止されている。
【００５４】
また、固定補助部２２内に第二化粧材３０Ｂの突起部３５が嵌合され、突起部３５が固定補助部２２の挟持部２２２に挟持されていることにより、第二化粧材３０Ｂが図において左右方向に移動することが阻止されている。
【００５５】
第一化粧材３０Ａには、この第一化粧材３０Ａの取付部３４が被係止部材４０の本体部４１に嵌合され、取付部３４が挟持部４１２で挟持されるとともに本体部４１と取付部３４とが接着剤で接着されることにより、被係止部材４０が固定されている。さらに、この被係止部材４０が第一固定部２１１ａに形成された係止部２１４に係止され、この被係止部材４０が係止補助部２３によって図において上方向への移動が阻止されることより、この係止状態が維持されている。
【００５６】
すなわち、第一化粧材３０Ａのうち、コーナー部１ａ側から配置される端部と反対側の端部の近傍部分が、被係止部材４０を介して係止部２１４に係止されている。
【００５７】
被係止部材４０と係止部材２０との位置関係についてさらに詳しく説明すると、まず、被係止部材４０の当接部４２２が、係止部材２０の係止部２１４よりも内側（図において右側）かつ係止部２１４に当接可能なように配置されていることにより、当接部４２２が係止部２１４から外側（図において左側）に移動することを阻止するように係止されている。さらに、被係止部材４０の圧接部４２３は、弾性変形部４２１から得られる弾性復帰力により係止部２１４の先端に圧接されている。この圧接により、当接部４２２が係止部２１４の上端を乗り越えて係止部２１４よりも外側（図において左側）に移動し、当接部４２２と係止部２１４との係止が外れることが阻止されている。
【００５８】
すなわち、第一化粧材３０Ａのうち、コーナー部１ａ側から配置される端部と反対側の端部の近傍が、係止部２１４によって係止されている。
【００５９】
次に、第一化粧材３０Ａ及び第二化粧材３０Ｂのうち、コーナー部１ａ近傍に位置する部分についての配置状態について説明する。
【００６０】
第一化粧材３０Ａと第二化粧材３０Ｂは、接続部材５０によって接続されており、この接続状況において、以下に説明する。
【００６１】
第二化粧材３０Ｂは、接続部材５０の固定部５１に第二化粧材３０Ｂの突起部３５が嵌りこみ、挟持部５１２、５１２で突起部３５の側面が挟持されるとともに固定部５１と突起部３５とが接着剤で接着されることによって、接続部材５０対し固定されている。
【００６２】
また、接続用アーム５３の第一アーム部５３１と第二化粧材３０Ｂの第一収納部３３１の内壁とが接触又は略接触する状態で配置され、さらに、接続用アーム５３の第二アーム部５３２と係合部５２の当接部５２１と第二化粧材３０Ｂの第一収納部３３１の内壁とで囲まれた部分に空間Ｋが形成されている（図６参照）。
【００６３】
そして、その空間Ｋに、第一化粧材３０Ａの側壁３９ｂが嵌りこみ、この側壁３９ｂが、係合部５２の当接部５２１及び第二化粧材３０Ｂの第一収納部３３１の内壁に取り付けられたシール材６０に圧接され、第一化粧材３０Ａの回転中心部３７が、係合部５２の係合片部５２２と係合している。
【００６４】
この係合部５２は、前述のとおり、コーナー部５３３の角度が弾性的に変化することにより、固定部５１に対し相対変位可能となっているため、第一化粧材３０Ａは、第二化粧材３０Ｂに対し相対変位が可能な状態となっている。
【００６５】
すなわち、第一化粧材３０Ａと第二化粧材３０Ｂとは、接続部材５０で第一化粧材３０Ａの側壁３９ａ（コーナー部側端部）と、第二化粧材３０Ｂの第一収納部３３１の内壁（コーナー部側端部）とが、コーナー部１ａ近傍で、その相対変位を許容する状態で接続されている。
【００６６】
また、この弾性変形により、第一化粧材３０Ａに取り付けられた被係止部材４０と係止部材２０の係止部２１４との係止を解除する方向（図１において左方向）に、第一化粧材３０Ａを移動させることを可能とするとともに、この移動を、第一化粧材３０Ａと第二化粧材３０Ｂとを接続した状態で行うことを可能としている。
【００６７】
またさらに、当接部５２１が補強部２４に圧接されていることにより、当接部５２１と第一化粧材３０Ａの側壁３９ｂとの接触圧が増し、第一化粧材３０Ａの回転中心部３７が係止片部５２２を乗り越えてこの回転中心部３７と係合片部５２２との係止が外れることが阻止されている。
【００６８】
以下、図６、図７を用いて、化粧材３０を躯体１のコーナー部１ａをはさむ二側面１ｂ、１ｃ上に取り付ける手順について説明する。
【００６９】
まず、図６に示すとおり、固定部２１１の第一固定部２１１ａを第一側面１ｂに位置させ、第二固定部２１１ｂを第二側面１ｃに位置させた状態で、ビス１０を用いて係止部材２０を躯体１に固定する。
【００７０】
次に、第二化粧材３０Ｂの回転中心部３７を係止部材２０の支点部２１５に係止させ、この回転中心部３７を中心に第二化粧材３０Ｂを係止部材２０に近づける方向に回転させることにより、固定補助部２２に突起部３５をはめ込む。このとき、係合部５２の係合片部５２２は係止部材２０の補強部２４に当接する。
【００７１】
さらに、図７に示すように、第一化粧材３０Ａを第一固定部２１１ａに近づけ、側壁３９ａを、第一収納部３３１の側壁と係合部５２の当接部５２１と接続用アーム５３の第二アーム部５３２とで囲まれた空間Ｋに圧入し、第一化粧材３０Ａの回転中心部３７を係合部５２の係合片部５２２に係合し、側壁３９ｂを当接部５２１及び第二化粧材３０Ｂの第一収納部３３１に配置されたシール材６０に圧接させる。
【００７２】
またさらに、被係止部材４０を係止補助部２３に圧接させるとともに、被係止部材４０の当接部４２２を係止部２１４に係止させる。
【００７３】
以上の動作を行うことにより、図１に示した状態で、化粧材３０が躯体１のコーナー部１ａをはさむ二側面、１ｃに取り付けられる。
【００７４】
さらに、図８〜図１０を用いて、化粧材３０を躯体１から取り外す手順について説明する。
【００７５】
まず、図８に示すとおり、把持部７１と軸部７２とを有するドライバー７０（工具）の軸部７２を第一化粧材３０Ａの外部から貫通孔３６に挿入し、このこの軸部７２の先端を被係止部材４０の圧接部４２３に当接させ、この圧接部４２３を軸部７２の挿入方向に押し込むことにより、被係止部材４０の当接部４２２と係止部材２０の係止部２１４との係止を解除する。
【００７６】
次に、図９に示すとおり、ドライバー７０の押し込み操作により係止解除状態を維持したまま、このドライバー７０を取っ手代わりにして第一化粧材３０Ａを前記被係止部材４０が係止部材２０の端部２１２から離れる方向に移動させ、被係止部材４０を係止部材２０から取り外す。
【００７７】
このとき、接続部材５０の接続用アーム５３のコーナー部５３３の角度が第一化粧材３０Ａの移動に追従して弾性的に変化し、この変化により係合部５２及び第一化粧材３０Ａの側壁３９ｂが、第二化粧材３０Ｂの第一収納部３３１の内壁に対しその相対位置が変位されることになる。
【００７８】
その後、ドライバー７０の軸部７２を、貫通孔３６から抜き去り、図１０に示すように、第一化粧材３０Ａ及び第二化粧材３０Ｂを、第二化粧材３０Ｂの回転中心部３７と支点部２１５との係止部分を中心に回転させ、この係止を解除することにより、化粧材３０を躯体１から取り外す。
【００７９】
さらに、接続部材５０を弾性変形させて係合片部５２２と回転中心部３７との係止を解除することにより、第一化粧材３０Ａと第二化粧材３０Ｂとの接続状態を解除する。
【００８０】
以上の構成をとれば、コーナー部１ａを覆うための化粧材３０は、第一化粧材３０Ａと第二化粧材３０Ｂとに分割されているため、このコーナー部１ａ以外の面を覆うためのその他の化粧材と形状を著しく異ならせる必要がない。したがって、従来のような前記コーナー部を覆うＬ字状に全体が一体に成形されたコーナー部用の化粧材と比較して収納効率を向上させることができる。
【００８１】
さらに、第一化粧材３０Ａ及び第二化粧材３０Ｂがコーナー部１ａを挟む躯体１の側面１ｂ、１ｃに配置された場合においては、第一化粧材３０Ａの側壁３９ａと第二化粧材３０Ｂの第一収納部３３１の内壁とがコーナー部１ａ近傍で接続されているため、この第一化粧材３０Ａと第二化粧材３０Ｂで、前記コーナー部１ａをより確実に覆うことが可能となる。したがって、建築物の美観を保つことが可能となる。
【００８２】
また、接続部材５０の係合部５２は、第一化粧材３０Ａの側壁３９ａを着脱可能に係止するため、化粧材３０を躯体１に取り付ける前だけでなく、躯体１から取り外した後においても第一化粧材３０Ａと第二化粧材３０Ｂとを分離した状態とすることが出来、収納効率を向上させた状態で保管又は運搬することが可能となる。
【００８３】
またさらに、接続部材５０の当接部５２１が補強部２４に圧接されていることにより第一化粧材３０Ａの回転中心部３７と係合片部５２２との係止が外れることを阻止することが出来る。すなわち、補強部２４によって、接続部材５０と第一化粧材３０Ａの回転中心部３７との係合を強化することが可能となる。
【００８４】
その一方、第二化粧材３０Ｂを躯体１から取り外したとき、すなわち係止部材２０から離脱したときは、前記当接部５２１は前記補強部２４に接触しない状態となるため、この補強部２４は前記係合の補強を行わなくなり、この係合状態を解除しやすくなる。
【００８５】
したがって、第二化粧材３０Ｂを係止部材２０に係止させた状態においては、第一化粧材３０Ａと第二化粧材３０Ｂとの接続状態を強化するとともに、第二化粧材３０Ｂを係止部材２０から離脱させた状態においては、第一化粧材３０Ａと第二化粧材３０Ｂとの接続状態を解除しやすくすることが可能となる。
【００８６】
また、第一化粧材３０Ａと第二化粧材３０Ｂとは、接続部材５０によって、第一化粧材３０Ａの側壁３９ｂと、第二化粧材３０Ｂの第一収納部３３１の内壁とが相対変位可能な状態で接続されているため、躯体１のコーナー部１ａが反り等によって変形した場合において、かかる変形に対応した状態でこのコーナー部１ａを第一化粧材３０Ａ及び第二化粧材３０Ｂで覆うことが可能となる。したがって、より確実にコーナー部１ａを第一化粧材３０Ａ及び第二化粧材３０Ｂで覆うことが可能となる。
【００８７】
さらに、第一化粧材３０Ａを係止部材２０から離脱させるとき、接続部材５０で第二化粧材３０Ｂを接続した状態で行うことが出来るため、化粧材３０を係止部材２０から取り外すとき、第一化粧材３０Ａ及び第二化粧材３０Ｂを別々に取り外す必要がなく一度に取り外すことができ、取り外し作業にかかる負担を軽減することができる。
【００８８】
また、化粧材３０と係止部材２０とは別部材となっているため、化粧材３０に選定する素材としては、必ずしも係止部材２０としての機能を有するものでなくてもよい。したがって、化粧材３０により多様な素材を用いることが可能となる。
【００８９】
以下において他の実施形態について説明する。なお、前記実施形態と同構成のものについては、同一符号を付すのみとし、その詳細な説明は省略する。
【００９０】
その他実施形態
（一）  接続部材５０は、必ずしも金属板で形成する必要はなく、撓み変形が可能なように構成できるものであれば、特に限定されるものではなく、例えば、合成樹脂等を使用することが可能である。
【００９１】
（二）  第一化粧材３０Ａと係止部材２０との係止、及び、第二化粧材３０Ｂと係止部材２０との係止は、コーナー部１ａに配置される側の端部の反対側の端部、又は、その端部の近傍であれば、任意の箇所で行うことが可能である。
【００９２】
（三）  第一化粧材３０Ａと係止部材２０との係止は、被係止部材４０を介して行っているが、必ずしも被係止部材４０を介して行う必要はなく、第一化粧材３０Ａを係止部材２０に対し直接的に係止させる構成にしてもよい。
【００９３】
（四）  第一化粧材３０Ａの係止部材２０に対する着脱は、必ずしも被係止部材４０を弾性変形させることによって行う必要はない。例えば、係止部材２０を弾性変形可能とする構成とし、係止部材２０を弾性変形させることにより、係止部材２０の係止部と被係止部材４０の被係止部との係止を行ったり、この係止を解除する動作を行ったりして、第一化粧材３０Ａの係止部材２０に対する着脱を行ってもよい。また、係止部材２０、被係止部材４０共に弾性変形可能な構成とし、共に弾性変形させることにより、前記係止の脱着を行う構成にしてもよい。
【００９４】
（五）  本発明は、必ずしも係止部材２０を備える必要はなく、例えば、第二化粧材３０Ｂに、第一化粧材３０Ａを係合するための係合部を一体となるように設ける構成にしてもよい。すなわち、第一化粧材３０Ａと第二化粧材３０Ｂとの接続は、必ず係止部材２０で行う必要はなく、第一化粧材３０Ａと第二化粧材３０Ｂとを直接的に接続する構成にしてもよい。
【図面の簡単な説明】
【００９５】
【図１】本発明の一実施形態にかかる化粧材の取付構造の概略を示した断面図である。
【図２】本発明の一実施形態にかかる化粧材の取付構造に使用する係止部材を示した正面図である。
【図３】本発明の一実施形態にかかる化粧材の取付構造に使用する化粧材を示した断面図である。
【図４】本発明の一実施形態にかかる化粧材の取付構造に使用する被係止部材を示したものであって、（ａ）はこの被係止部材の正面図、（ｂ）はこの被係止部材の右側面図である。
【図５】本発明の一実施形態にかかる化粧材の取付構造に使用する接続部材を示した正面図である。
【図６】本発明の一実施形態にかかる化粧材の取付構造において、前記化粧材を建築物の躯体に取り付けるための手順を示した断面図である。
【図７】本発明の一実施形態にかかる化粧材の取付構造において、前記化粧材を建築物の躯体に取り付けるための手順を示した断面図である。
【図８】本発明の一実施形態にかかる化粧材の取付構造において、前記化粧材を建築物の躯体から取り外すための手順を示した断面図である。
【図９】本発明の一実施形態にかかる化粧材の取付構造において、前記化粧材を建築物の躯体から取り外すための手順を示した断面図である。
【図１０】本発明の一実施形態にかかる化粧材の取付構造において、前記化粧材を建築物の躯体から取り外すための手順を示した断面図である。
【符号の説明】
【００９６】
１      躯体
１ａ    コーナー部
１ｂ    第一側面（コーナー部を挟む面）
１ｃ    第二側面（コーナー部を挟む面）
２０    係止部材
２４    補強部
３０Ａ  第一化粧材（第一の化粧材）
３０Ｂ  第二化粧材（第二の化粧材）
５０    接続部材
５１    固定部
５２    係合部（接続部）
２１４  係止部
２１５  支点部（係止部）
【図１】
2005256311.tif 000003
【図２】
2005256311.tif 000004
【図３】
2005256311.tif 000005
【図４】
2005256311.tif 000006
【図５】
2005256311.tif 000007
【図６】
2005256311.tif 000008
【図７】
2005256311.tif 000009
【図８】
2005256311.tif 000010
【図９】
2005256311.tif 000011
【図１０】
2005256311.tif 000012